(57)【要約】【課題】アフタービュー機能とプリント設定との関係において、操作性が良好なデジタルカメラを提供する。【解決手段】１コマ撮影モードにおいて、撮影によってＲＡＭ５０ａ内に撮影画像が一時的に記憶される。そして、一時的に記憶された撮影画像に係るアフタービューを表示するアフタービュー画面がＬＣＤ５に表示される。そして、アフタービュー画面の表示中に、ユーザーによって操作部３０に含まれるプリントボタンが押下されると、その押下操作に応答して撮影画像をメモリカード９０に記録するための処理を開始するとともに、ＬＣＤ５によって表示される画面がアフタービュー画面からプリント設定画面に遷移する。【選択図】図３
2005244296.tif 000002
【特許請求の範囲】
【請求項１】
撮影画像に係るアフタービューの表示中に、前記撮影画像に対するプリント設定を行うためのプリント設定操作を受け付け可能なデジタルカメラであって、
前記撮影画像を一時記憶画像として一時的に記憶する一時記憶手段と、
前記一時記憶画像に係るアフタービューを表示する表示手段と、
前記撮影画像を記録する画像記録手段と、
前記アフタービューの表示中において、前記プリント設定操作に応答して前記画像記録手段へ前記撮影画像を記録するための記録処理が開始されるように制御する制御手段と、
を備えることを特徴とするデジタルカメラ。
【請求項２】
請求項１に記載のデジタルカメラであって、
前記アフタービューの表示中に、前記撮影画像の前記画像記録手段への記録の可否を選択する記録選択操作を受け付ける記録選択手段、
をさらに備えることを特徴とするデジタルカメラ。
【請求項３】
請求項１または請求項２に記載のデジタルカメラであって、
前記制御手段が、
前記記録処理の開始から完了までの間に、前記表示手段による表示画面が、前記アフタービューを表示する画面から前記撮影画像に対するプリント設定を実施するためのプリント設定画面に遷移し、当該遷移後、前記記録処理が前記プリント設定に係る処理のバックグラウンドで行われるように制御することを特徴とするデジタルカメラ。
【請求項４】
請求項３に記載のデジタルカメラであって、
前記プリント設定画面の表示中に、前記撮影画像の削除を選択する削除選択操作を受け付ける削除選択手段、
をさらに備え、
前記制御手段が、
前記削除選択操作に応答して、前記記録処理が中止されるように制御することを特徴とするデジタルカメラ。
【請求項５】
請求項３に記載のデジタルカメラであって、
前記プリント設定画面の表示中に、前記撮影画像の削除を選択する削除選択操作を受け付ける削除選択手段、
をさらに備え、
前記制御手段が、
前記削除選択操作後も、前記表示手段が画像に対するプリント設定を実施するためのプリントモードにおける設定画面の表示状態を維持するように制御することを特徴とするデジタルカメラ。
【請求項６】
請求項５に記載のデジタルカメラであって、
前記制御手段が、
前記削除選択操作後も前記表示手段によって表示状態が維持される前記プリントモードにおける設定画面が、前記画像記録手段において既に記録されている画像に対するプリント設定画面となるように制御することを特徴とするデジタルカメラ。
【請求項７】
請求項１または請求項２に記載のデジタルカメラであって、
前記撮影画像に対するプリント設定に係るプリント情報を記録する情報記録手段、
をさらに備え、
前記制御手段が、
前記アフタービューの表示中における前記プリント設定操作に応答して前記記録処理が開始されるとともに、前記情報記録手段による前記プリント情報の記録が開始されるように制御することを特徴とするデジタルカメラ。
【請求項８】
請求項７に記載のデジタルカメラであって、
前記表示手段による表示画面を、前記撮影画像に対するプリント設定を実施するためのプリント設定画面に遷移させる画面遷移手段と、
前記プリント設定画面の表示中に、前記撮影画像に対するプリント設定の保留を選択する保留選択操作を受け付ける保留選択手段と、
をさらに備え、
前記制御手段が、
前記保留選択操作に応答して、前記情報記録手段による前記プリント情報の記録が実施されないように制御することを特徴とするデジタルカメラ。
【請求項９】
請求項７に記載のデジタルカメラであって、
前記表示手段による表示画面を、前記撮影画像に対するプリント設定を実施するためのプリント設定画面に遷移させる画面遷移手段、
をさらに備え、
前記制御手段が、
前記表示手段による表示画面が前記プリント設定画面に遷移した時点から所定時間経過後に、前記情報記録手段による前記プリント情報の記録が開始されるように制御することを特徴とするデジタルカメラ。
【発明の詳細な説明】
【技術分野】
【０００１】
本発明は、デジタルカメラについて、撮影画像に対するプリント設定を実施するための技術に関する。
【背景技術】
【０００２】
近年、デジタルカメラが急激に普及し、デジタルカメラで得られる撮影画像をリムーバブルメモリを介してプリンタで直接出力することができる技術が実現されている。そして、リムーバブルメモリに撮影画像に係るプリント設定データを記録するファイルフォーマットとしては、ＤＰＯＦ（Digital Print Order Format）（登録商標）が知られている。
【０００３】
しかし、従来のデジタルカメラでは、ＤＰＯＦファイルを生成又は編集する作業はやや複雑である。そこで、撮影直後であってＬＣＤに静止画像が表示されている際に、ＤＰＯＦ専用スイッチを押下するのみで、その時点でＬＣＤに表示されている静止画像に係るプリント設定の実施が可能であるとともに、ＬＣＤにプリント枚数も表示させることができる技術が提案されている（例えば、特許文献１）。
【０００４】
ここで、撮影直後の静止画像表示とは、例えば、特許文献２に示されている所謂アフタービュー機能である。このアフタービュー機能は、撮影直後に撮影結果（アフタービュー）を表示し、そのアフタービューを視認して、撮影画像の削除又は保存等を選択することができる機能である。そして、その選択結果に応じて撮影画像の削除処理又は記録処理を開始したり、アフタービューの表示開始から所定時間経過後までに何れも選択されない場合には撮影画像の記録処理を開始するようなデジタルカメラもある（例えば、特許文献２）。
【０００５】
このような技術に関する先行技術文献としては、以下のようなものがある。
【０００６】
【特許文献１】特開２００２−２２３３７９号公報
【特許文献２】特開２００３−１２５２６９号公報
【発明の開示】
【発明が解決しようとする課題】
【０００７】
しかしながら、上記提案されている技術に従ってアフタービューの表示中にプリント設定を行うにあたっては、例えば、アフタービューが表示された状態で、プリント設定を行い、その後、アフタービューが表示された状態で、撮影画像の削除又は保存の選択等を別途行わなくてはならず、操作が非常に煩雑となる。
【０００８】
また、特許文献１で提案されている技術においては、撮影直後の静止画表示の段階では、既に撮影によって得られた撮影画像は記録媒体に記録されていると考えられる。ところが、撮影画像の画素数が多い場合には、撮影画像が記録媒体に記録されていない段階でアフタービューを表示する場合もある。しかし、これまでは、そのような場合にはプリント設定と撮影画像の記録とをどのような順序で実施するのかについては、何ら考慮されていない。したがって、従来技術では、プリント設定と撮影画像の記録とを操作性の観点からどのように実施するのが良いのかといった点については考慮が不十分である。
【０００９】
本発明は、上記課題に鑑みてなされたものであり、アフタービュー機能とプリント設定との関係において、操作性が良好なデジタルカメラを提供することを目的とする。
【課題を解決するための手段】
【００１０】
上記の課題を解決するために、請求項１の発明は、撮影画像に係るアフタービューの表示中に、前記撮影画像に対するプリント設定を行うためのプリント設定操作を受け付け可能なデジタルカメラであって、前記撮影画像を一時記憶画像として一時的に記憶する一時記憶手段と、前記一時記憶画像に係るアフタービューを表示する表示手段と、前記撮影画像を記録する画像記録手段と、前記アフタービューの表示中において、前記プリント設定操作に応答して前記画像記録手段へ前記撮影画像を記録するための記録処理が開始されるように制御する制御手段とを備えることを特徴とする。
【００１１】
また、請求項２の発明は、請求項１に記載のデジタルカメラであって、前記アフタービューの表示中に、前記撮影画像の前記画像記録手段への記録の可否を選択する記録選択操作を受け付ける記録選択手段をさらに備えることを特徴とする。
【００１２】
また、請求項３の発明は、請求項１または請求項２に記載のデジタルカメラであって、前記制御手段が、前記記録処理の開始から完了までの間に、前記表示手段による表示画面が、前記アフタービューを表示する画面から前記撮影画像に対するプリント設定を実施するためのプリント設定画面に遷移し、当該遷移後、前記記録処理が前記プリント設定に係る処理のバックグラウンドで行われるように制御することを特徴とする。
【００１３】
また、請求項４の発明は、請求項３に記載のデジタルカメラであって、前記プリント設定画面の表示中に、前記撮影画像の削除を選択する削除選択操作を受け付ける削除選択手段をさらに備え、前記制御手段が、前記削除選択操作に応答して、前記記録処理が中止されるように制御することを特徴とする。
【００１４】
また、請求項５の発明は、請求項３に記載のデジタルカメラであって、前記プリント設定画面の表示中に、前記撮影画像の削除を選択する削除選択操作を受け付ける削除選択手段をさらに備え、前記制御手段が、前記削除選択操作後も、前記表示手段が画像に対するプリント設定を実施するためのプリントモードにおける設定画面の表示状態を維持するように制御することを特徴とする。
【００１５】
また、請求項６の発明は、請求項５に記載のデジタルカメラであって、前記制御手段が、前記削除選択操作後も前記表示手段によって表示状態が維持される前記プリントモードにおける設定画面が、前記画像記録手段において既に記録されている画像に対するプリント設定画面となるように制御することを特徴とする。
【００１６】
また、請求項７の発明は、請求項１または請求項２に記載のデジタルカメラであって、前記撮影画像に対するプリント設定に係るプリント情報を記録する情報記録手段をさらに備え、前記制御手段が、前記アフタービューの表示中における前記プリント設定操作に応答して前記記録処理が開始されるとともに、前記情報記録手段による前記プリント情報の記録が開始されるように制御することを特徴とする。
【００１７】
また、請求項８の発明は、請求項７に記載のデジタルカメラであって、前記表示手段による表示画面を、前記撮影画像に対するプリント設定を実施するためのプリント設定画面に遷移させる画面遷移手段と、前記プリント設定画面の表示中に、前記撮影画像に対するプリント設定の保留を選択する保留選択操作を受け付ける保留選択手段とをさらに備え、前記制御手段が、前記保留選択操作に応答して、前記情報記録手段による前記プリント情報の記録が実施されないように制御することを特徴とする。
【００１８】
また、請求項９の発明は、請求項７に記載のデジタルカメラであって、前記表示手段による表示画面を、前記撮影画像に対するプリント設定を実施するためのプリント設定画面に遷移させる画面遷移手段をさらに備え、前記制御手段が、前記表示手段による表示画面が前記プリント設定画面に遷移した時点から所定時間経過後に、前記情報記録手段による前記プリント情報の記録が開始されるように制御することを特徴とする。
【発明の効果】
【００１９】
以上説明したように、請求項１に記載された発明によれば、一時的に記憶された撮影画像に係るアフタービューの表示中に、ユーザーによる撮影画像に対するプリント設定操作に応答して撮影画像を記録するための処理を開始するような構成とすることで、例えば、次回の撮影等、次の処理が実行可能となるまでの時間を短縮することができるため、アフタービュー機能とプリント設定との関係において、操作性が良好なデジタルカメラを提供することができる。
【００２０】
また、請求項２に記載された発明によれば、アフタビュー表示中に、一時的に記憶されたアフタービュー表示に係る撮影画像を記録するか否かを選択することができ、そのアフタービューの表示中に、ユーザーによる撮影画像に対するプリント設定操作に応答して撮影画像を記録するための処理を開始するような構成とすることで、１つの操作で、撮影画像の記録とプリント設定を行うための処理とを同時に選択することができるため、アフタービュー機能とプリント設定との関係において、操作性が良好なデジタルカメラを提供することができる。
【００２１】
また、請求項３に記載された発明によれば、撮影画像の記録処理がプリント設定に係る処理のバックグラウンドで実施されるため、例えば次回の撮影等、次の処理が実行可能となるまでの時間を短縮することができる。
【００２２】
また、請求項４に記載された発明によれば、撮影画像の削除を選択することにより、バックグラウンドで行われている撮影画像の記録処理を中止するため、直ちに次の処理に移行することができる。
【００２３】
また、請求項５に記載された発明によれば、不要な撮影画像の削除を選択した後も、画像に対するプリント設定を実施するための設定画面の表示を維持することにより、プリント設定を実施したいという操作者の意図を的確に反映することができるため、より操作性が向上する。
【００２４】
また、請求項６に記載された発明によれば、不要な撮影画像の削除を選択した後においても、既に記録された画像に係るプリント設定画面を表示するため、プリント設定をする対象画像がないという不具合を防ぐことができる。
【００２５】
また、請求項７に記載された発明によれば、アフタービューの表示中において、ユーザーによる撮影画像に対するプリント設定操作に応答して撮影画像を記録するための処理を開始するとともに、撮影画像についてのプリント設定に係る情報の記録を開始するような構成とすることで、特に、プリント設定に係る情報の記録を開始させるための操作が不要となるため、一層の操作性の向上を図ることができる。
【００２６】
また、請求項８に記載された発明によれば、プリント設定を保留して、プリント設定に係る情報を記録しないようにすることができるため、その時点においてプリントの可否の判定が行えない場合にも対応することができる。
【００２７】
また、請求項９に記載された発明によれば、プリント設定画面に遷移した時点から所定時間経過後にプリント設定に係る情報の記録を開始することにより、例えば、所定時間経過前にプリント設定を保留した場合などには、プリント設定に係る情報の修正等に要する無駄な労力を省くことができ、更に操作性が向上する。
【発明を実施するための最良の形態】
【００２８】
以下、本発明の実施形態を図面に基づいて説明する。
【００２９】
＜構成概要＞
図１および図２は、本発明の実施形態に係るデジタルカメラ１の外観構成を示す図である。図１は正面側からみた概略斜視図であり、図２は背面側からみた概略斜視図である。
【００３０】
図１および図２に示すように、デジタルカメラ１は、薄型の略直方体形状を有している。
【００３１】
図１に示すように、デジタルカメラ１は、その正面側に撮影レンズ２と光学ファインダー４とフラッシュ６とを備えており、その上面側に電源ボタン３とシャッターボタン（レリーズボタン）９とマイク１２とを備えている。また、図２に示すように、デジタルカメラ１は、その背面側に液晶表示部（以下、ＬＣＤという。）５とボタン群７，８とモード切替ボタン１１とプリントボタン１３とを備えている。ボタン群７は十字カーソルボタン７ａ〜７ｅ（以下では、７ａを上ボタン、７ｂを下ボタン、７ｃを左ボタン、７ｄを右ボタン、および７ｅを中央(実行)ボタンとも称する）で構成されており、ボタン群８はメニューボタン８ａと液晶モニターボタン８ｂとフラッシュモードボタン８ｃとを有している。さらに、図１および図２に示すように、デジタルカメラ１は、その側方の面に蓋１４とＤＣ入力端子１５とＵＳＢ端子１６とＡＶ出力端子１７とを備えている。
【００３２】
後述するように、デジタルカメラ１は、撮影レンズ２からの被写体像をＣＣＤ（撮像素子）２０（図３）によって光電変換すること等によって、被写体に関する画像データを取得する。
【００３３】
また、電源ボタン３は、電源のオン操作およびオフ操作を受け付けるために用いられる。具体的には、電源ボタン３を押下するごとにオン状態への移行とオフ状態への移行とが交互に繰り返される。
【００３４】
シャッターボタン９はユーザー（操作者）による半押し状態（以下、Ｓ１状態とも称する）と全押し状態（以下、Ｓ２状態とも称する）とを区別して検出可能な２段階押し込みスイッチとなっており、Ｓ１状態のときに自動合焦制御を開始し、Ｓ２状態のときに記録用画像を撮影するための本撮影動作を開始する。
【００３５】
ＬＣＤ５は、本撮影動作前のプレビュー表示（ライブビュー表示とも称する）及び記録画像の再生表示等を行う。このＬＣＤ５は、所定数（ここでは３２０×２４０）の表示画素を有しており、カラー画像を表示することができる。
【００３６】
ライブビュー表示では、デジタルカメラ１の電源オン後や本撮影が完了すると、１／３０秒ごとに低解像度で被写体の撮像を繰り返し、撮像画像をＬＣＤ５に動画的態様で表示する。これにより、操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００３７】
また、モード切替ボタン１１は、これを押下することにより、１コマ撮影モード、連写モード、動画モード、および再生モードをサイクリックに切り替えられる(図１９参照)。ここで、１コマ撮影モード、連写モードおよび動画モードは、撮影モードに含まれる。この１コマ撮影モードとは、１コマ分の撮影を行うモードであり、連写モードとは、短時間で連続して複数コマの撮影を行うモードであり、動画モードとは、動画像を撮影するためのモードであり、再生モードとは、メモリカード９０に記録された撮影画像をＬＣＤ５に再生表示するモードである。本実施形態のデジタルカメラ１では、電源ボタン３の押下による電源オン時には撮影モードに設定されているが、モード切替ボタン１１を押下することよって再生モードに切替えることができ、さらにモード切替ボタン１１を押下することにより撮影モードの１コマ撮影モードに移行する。
【００３８】
メニューボタン８ａは、ＬＣＤ５へのメニューの表示および非表示を切り替える機能を有している。たとえば、各動作モードの初期画面においてメニューボタン８ａが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行(中央)ボタン７ｅを押下することによって、その選択肢に対応する設定動作等が実行される。このような操作によって、各種撮影パラメータの設定等を行うことが可能である。
【００３９】
液晶モニターボタン８ｂは、液晶モニタであるＬＣＤ５の表示・非表示を切り替えるためのボタンである。液晶モニターボタン８ｂが押下されるごとに、ＬＣＤ５に画像等が表示された状態（表示状態）と表示されない状態（非表示状態）とが交互に切り替わる。非表示状態にしておけば消費電力を低減できる。
【００４０】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００４１】
また、マイク１２は、動画撮影、ボイスメモ、ボイスレコーディング、アフターレコーディング（アフレコ）時において、音声データを取得する（録音する）ために用いられる。
【００４２】
プリントボタン１３は、プリントモード（後述）に移行させるためのボタンである。
【００４３】
蓋１４は、電池室およびメモリカード装着部を覆う部分に設けられている。言い換えれば、蓋１４の内部側には、電源電池ＢＴを収容する電池室と着脱自在な記録媒体（可搬性記録媒体）であるメモリカード９０を装着するメモリカード装着部とが設けられている。電源電池ＢＴおよびメモリカード９０は、それぞれ、電池室およびメモリカード装着部に対して着脱自在に装着される。本撮影によって得られる画像データおよび後述するプリント注文ファイル等は、この挿入装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００４４】
ＵＳＢ端子１６は、パーソナルコンピュータ（パソコンとも略称する）等とのデータ通信を行うための端子である。ＵＳＢ端子１６にＵＳＢ規格のケーブル等を接続することによって外部機器（パソコン等）とのデータ通信を行うことができる。
【００４５】
ＡＶ出力端子１７は、テレビ等の外部映像音響機器（ＡＶ機器）に接続するための端子である。所定のＡＶコードをこのＡＶ出力端子１７と外部映像音響機器側の入力端子とを接続することによって、その外部映像音響機器に画像および／または音声を出力することができる。
【００４６】
次に、図３を参照しつつ、デジタルカメラ１の内部構成について説明する。図３は、デジタルカメラ１の内部機能を示すブロック図である。
【００４７】
ＣＣＤ（撮像素子）２０は、被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００４８】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００４９】
Ａ／Ｄ変換器２２は、画像信号の各画素信号を例えば１２ビットのデジタル信号に変換するものである。変換後のデジタル信号は、画像データ（撮影画像）として一時的にＲＡＭ５０ａ内のバッファメモリ５４に格納（記憶）される。なお、ＲＡＭ５０ａ内のバッファメモリ５４に一時的に記憶される撮影画像を一時記憶画像とも称する。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。
【００５０】
また、マイク１２から得られる音声信号は、音声処理部５３に入力される。音声処理部５３入力された音声信号は音声処理部５３内に設けられたＡ／Ｄ変換器（不図示）によりデジタル信号に変換され、一時的にバッファメモリ５４に格納される。
【００５１】
操作部３０は、上述した電源ボタン３、ボタン群７、８、シャッターボタン９、モード切替ボタン１１等を含む操作部であり、ユーザーがデジタルカメラ１の設定状態を変更操作する際や撮影操作を行う際等に用いられる。
【００５２】
電源４０は、デジタルカメラ１に対する電力供給源である。デジタルカメラ１は、リチウムイオン電池等の二次電池を電源電池ＢＴとして用いて駆動される。
【００５３】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００５４】
全体制御部５０は、画像処理部５１、圧縮／伸張部５２および音声処理部５３を有している。これらの各処理部５１，５２，５３は、マイクロコンピュータが所定のプログラムを実行することにより実現される機能部である。
【００５５】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式等が採用される。音声処理部５３は、音声データに対する各種のデジタル処理を施す処理部である。
【００５６】
このような構成を有する全体制御部５０によって、撮影モード、再生モードおよびプリントモードでの処理が行われる。例えば、撮影モードにおいてシャッターボタン９が操作者によって半押し（Ｓ１状態）されると、ＣＣＤ２０から出力される画像データに基づきＡＦ評価値を求め、周知の山登り方式によって合焦位置に撮影レンズを移動させる。また、ＣＣＤ２０で読みとった被写体の輝度情報に基づいて、本撮影時のシャッタースピードと絞り値とオートホワイトバランスのゲイン設定値とを決定する。
【００５７】
一方、全体制御部５０は、撮影モードにおいてシャッターボタンが全押し（Ｓ２状態）されると、ＣＣＤ２０の解像度を高解像度に設定した後に被写体を撮像し、ＣＣＤ２０で取得された撮影画像データに基づき圧縮／伸張部５２で圧縮画像を生成する。そして、圧縮された高解像度の画像データ（撮影画像）は、記録媒体として機能するメモリカード９０に記録されることとなるが、このメモリカード９０におけるデータ構造を以下で説明する。
【００５８】
図４はメモリカード９０内のデータ配列を示す図である。メモリカード９０には、デジタルカメラ１によって記録された静止画像および動画像の各コマが順に配列して記録される。各コマは、ファイル属性ＡＴとタグ情報ＴＧとＪｐｅｇ形式で圧縮された高解像度画像データＨＤ(１６００×１２００画素)とサムネイル表示用のサムネイル画像データＳＤ（３２０×２４０画素)とが記録されている。このファイル属性ＡＴでは、読み取り専用属性、アーカイブ属性、システムファイル属性および隠しファイル属性が設定可能となっている。なお、ユーザーによってファイルのプロテクトが設定された場合には、上記の読み取り専用属性が設定される。また、タグＴＧでは、ファイル名、撮影日時、撮影に使用したデジタルカメラのシリアルナンバーおよび画像データに関連付けされた音声ファイルの情報（ファイル名等）が記録されている。
【００５９】
また、メモリカード９０には、暗号化されているプリント単価設定情報が、枚数と単価との関係を記述したテーブルＴＢとして記録されている。このプリント単価テーブルＴＢを参照し、例えばプリントサイズがＬ版で９枚以下の場合には、プリント単価が￥４０に設定され、例えばプリントサイズが２Ｌ版で５０枚以上の場合にはプリント単価が￥５０に設定される。これにより、後述するようにプリント料金をＬＣＤ５に表示できる。
【００６０】
また、モード切替ボタン１１の押下によって撮影モードから再生モードに移行すると、メモリカード９０内で最も大きなコマ番号の画像つまり直近に撮影された画像のデータが読み出された後、圧縮／伸張部５２でデータ伸張され、ＬＣＤ５に画像表示される。この再生モードでは、左ボタン７ｃ・右ボタン７ｄの押下によりコマの送り・戻しが可能である。
【００６１】
カードインタフェース（カードＩ／Ｆ）６０は、デジタルカメラ１側面の挿入装着部に対して装着されるメモリカード９０への画像データの書込み及び読出しを行うためのインタフェースである。
【００６２】
メモリカード９０に対する画像データの読み書き時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００６３】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新すること等が可能である。
【００６４】
また、ＵＳＢ端子１６等を介した外部機器（外部コンピュータ等）との通信によっても、画像あるいは音声等の各種のデータ、および制御プログラム等を送受信することが可能である。たとえば、外部コンピュータの読取装置（光学ドライブ装置等）にセットされた記録媒体（ＣＤ−Ｒ／ＲＷ、ＣＤ−ＲＯＭ等）に記録された各種のデータおよびプログラム等を、ＵＳＢ端子１６を介して取得することが可能である。
【００６５】
＜プリントモードについて＞
プリントボタン１３がユーザーによって押下されると、プリント設定を行うためのプリントモードに移行する。このプリントモードでは、プリント設定に関するプリント注文ファイルが作成されるが、このプリント注文ファイルを以下で説明する。
【００６６】
＜プリント注文ファイル＞
図５は、プリント注文ファイルを説明するための図である。
【００６７】
メモリカード９０には、撮影画像フォルダＦａ内に複数の画像ファイルＧｆが格納されるとともに、撮影画像フォルダＦａと異なるフォルダＦｂにプリント注文ファイルＰｆが格納される。つまり、ここでは、メモリカード９０が、撮影画像に対するプリント設定に係る情報（プリント情報）を記録する。
【００６８】
このプリント注文ファイルＰｆは、図６に示すように、一般情報Ｄｆ１、ユーザー情報Ｄｆ２、プリントジョブ情報Ｄｆ３、画像ソース情報Ｄｆ４、各種設定情報Ｄｆ５およびベンダー機能に係る情報Ｄｆ６等の各種プリント設定に関する情報（プリント情報）で構成される。ここで、ベンダー情報Ｄｆ６は、例えばデジタルカメラを製造するメーカー各社で独自に定義する情報である。
【００６９】
以上のプリント注文ファイルＰｆにより、プリント注文時のユーザーの労力を削減できるが、このプリント注文ファイルＰｆにおける各種の情報Ｄｆ１〜Ｄｆ６に記録するためのプリント設定画面を、以下で説明する。
【００７０】
＜プリント設定画面＞
図７は、プリント設定画面を説明するための図である。
【００７１】
ＬＣＤ５に表示されるプリント設定画面Ｇｐでは、プリント対象の画像Ｇｑに重畳して、プリント注文する画像の合計枚数を表示する合計枚数表示Ｇｐ１と、現在ＬＣＤ５に表示されている画像に対するプリント注文枚数を表示する注文枚数表示Ｇｐ２とが表示される。
【００７２】
一方、プリントボタン１３の押下によってプリントモードに移行すると、フラッシュモードボタン８ｃが保留ボタンとして機能し、且つ、液晶モニターボタン８ｂが削除ボタンとして機能する。そして、プリント設定画面Ｇｐにおいては、これらの機能が割り付けられたことを明示する「保留」表示Ｇｐ３および「削除」表示Ｇｐ４が表示される。
【００７３】
デジタルカメラ１においては、プリントイメージを優先するためにプリントサイズの縦横比に則して画像Ｇｑを表示するが、ＬＣＤ５の画面サイズおよびプリントサイズの縦横比が相違する場合には、例えばＬＣＤ５の画面の両端に余白部分Ｇｐｅ(平行斜線部)を表示して調整する。また、画像Ｇｑに対して撮影した日付の写し込みを行う場合には、写し込まれる画像の箇所に例えば「'03/5/7」のように日付表示Ｇｐ５を表示する。
【００７４】
そして、図７に示すプリント設定画面Ｇｐにおいて、後述するように右ボタン７ｄまたはプリントボタン１３が押下されることによって、図８に示すように次の画像(コマ)Ｇｒが表示されることとなる。
【００７５】
＜プリントモードにおける動作＞
次にプリントモードにおける動作について説明する。
【００７６】
プリント設定画面Ｇｐ(図７)をＬＣＤ５に表示するプリントモードにおける動作を説明するための図を、図９〜図１１に示している。この図９は、ユーザー操作に対する画面遷移の関係を示しており、図１０および図１１は、コマ番号(ｎ)の画像を表示するプリント設定画面ＧＮ１１を中心として各画面に遷移する様子を示している。以下では、コマ番号(ｎ)の画像を、プリントモードに移行した直後に表示される最後(最大)のコマ番号を有する画像と考える。なお、図１１において、参照符号がＧＮで始まるブロックは表示画面に関する状態を示しており、参照符号がＳＴで始まるブロックは、デジタルカメラ１の動作を示している。
【００７７】
以下では、図９に記載される各項目(１)〜(１１)毎に、図１０および図１１を参照しつつプリントモードの動作を説明する。
【００７８】
(１)左ボタン７ｃが押下されると、プリント設定画面で設定されている設定内容を確定させて、前のコマを表示するプリント設定画面に移行する。この場合には、左ボタン７ｃが押下された際に表示されていた画像に対するプリント枚数が、プリント合計枚数に加算されて、合計枚数が更新される。
【００７９】
すなわち、図１１に示すコマ番号(ｎ)の画像を表示するプリント設定画面ＧＮ１１において、左ボタン７ｃが押下された場合には、コマ番号(ｎ)の画像に対するプリント注文（プリント情報）の記録処理（ステップＳＴ１２）を行い、コマ番号(ｎ−１)の画像のプリント設定画面ＧＮ１２に移行する。
【００８０】
具体的には、例えば、図８に示すようにプリント設定画面Ｇｐが表示される際に、左ボタン７ｃが押下された場合には、図１２に示すように、前のコマに該当する画像ＧｑがＬＣＤ５に表示されるとともに、合計枚数表示Ｇｐ１において、図８の合計枚数表示Ｇｐ１に示す「２１枚」よりも１枚増加した合計枚数「２２枚」が表示される。
【００８１】
(２)右ボタン７ｄが押下されると、プリント設定画面で設定されている設定内容を確定させて、次のコマを表示するプリント設定画面に移行する。この場合には、右ボタン７ｄが押下される際に表示されていた画像に対してのプリント枚数が、プリント合計枚数に加算されて、合計枚数が更新されることとなる。
【００８２】
すなわち、図１１に示すコマ番号(ｎ−１)の画像を表示するプリント設定画面ＧＮ１２において、右ボタン７ｄが押下された場合には、コマ番号(ｎ−１)の画像に対するプリント注文の記録処理（ステップＳＴ１３）を行い、コマ番号(ｎ)の画像のプリント設定画面ＧＮ１１に移行する。
【００８３】
具体的には、例えば、図７に示すようにプリント設定画面Ｇｐが表示される際に、右ボタン７ｄが押下される場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００８４】
(３)上ボタン７ａが押下されると、図１０に示すように現在ＬＣＤ５に表示されているコマ(画像)のプリント枚数を増加させる。
【００８５】
(４)下ボタン７ｂが押下されると、図１０に示すように現在ＬＣＤ５に表示されているコマ(画像)のプリント枚数を減少させる。なお、プリント枚数のデフォルト値は１枚に設定されており、プリント枚数の下限値は０枚である。
【００８６】
(５)メニューボタン８ａが押下されると、図１０に示すようにプリントメニュー画面(後述)をＬＣＤ５に表示する。
【００８７】
(６)削除ボタン（液晶モニターボタン）８ｂが押下されると、現在ＬＣＤ５に表示されているコマ(画像)を削除して、次のコマを表示するプリント設定画面に移行する。この削除ボタン８ｂは、撮影された画像データを削除するファンクションキーとして機能する。ただし、プロテクトがかけられた、具体的には図４に示すファイル属性で読み取り専用属性に設定された画像の削除は行えないものとする。
【００８８】
すなわち、図１１に示すコマ番号(ｎ)の画像を表示するプリント設定画面ＧＮ１１において、削除ボタン８ｂが押下された場合には、コマ番号(ｎ)の画像に対する削除処理（ステップＳＴ１１）を行い、コマ番号(ｎ−１)の画像のプリント設定画面ＧＮ１２に移行する。
【００８９】
一方、図１１に示すコマ番号(ｎ−１)の画像を表示するプリント設定画面ＧＮ１２において、削除ボタン８ｂが押下された場合には、コマ番号(ｎ−１)の画像に対する削除処理（ステップＳＴ１４）を行い、コマ番号(ｎ)の画像のプリント設定画面ＧＮ１１に移行する。
【００９０】
(７)保留ボタン（フラッシュモードボタン）８ｃが押下されると、現在ＬＣＤ５に表示されているコマ(画像)のプリント枚数を０枚にして、次のコマを表示するプリント設定画面に移行する。
【００９１】
すなわち、図１１に示すコマ番号(ｎ−１)の画像を表示するプリント設定画面ＧＮ１２において、保留ボタン８ｃが押下された場合には、コマ番号(ｎ−１)の画像に関するプリント注文ファイルの注文内容をチェックし、プリントの注文枚数が１枚以上である場合には、コマ番号(ｎ−１)の画像に関する注文内容を削除、つまりプリント枚数を０枚に設定する。そして、コマ番号(ｎ)の画像のプリント設定画面ＧＮ１１に移行する。なお、プリントの注文枚数が０枚である場合には、単にコマ番号(ｎ)の画像のプリント設定画面ＧＮ１１に移行する。
【００９２】
また、図１１に示すコマ番号(ｎ)の画像を表示するプリント設定画面ＧＮ１１において、保留ボタン８ｃが押下された場合には、コマ番号(ｎ)の画像に関するプリント注文ファイルの注文内容をチェックし、プリントの注文枚数が１枚以上である場合には、コマ番号(ｎ)の画像に関する注文内容を削除、つまりプリント枚数を０枚に設定する。そして、ここでは、次のコマが存在していないため、コマ番号(ｎ)の画像のプリント設定画面ＧＮ１１に復帰する。
【００９３】
(８)プリントボタン１３が押下されると、プリント設定画面で設定されている設定内容を確定させて、次のコマが存在していれば、次のコマを表示するプリント設定画面に移行する。
【００９４】
すなわち、図１１に示すコマ番号(ｎ−１)の画像を表示するプリント設定画面ＧＮ１２において、プリントボタン１３が押下された場合には、コマ番号(ｎ−１)の画像に対するプリント注文の記録処理（ステップＳＴ１３）を行い、コマ番号(ｎ)の画像のプリント設定画面ＧＮ１１に移行する。
【００９５】
なお、図１１に示すコマ番号(ｎ)の画像を表示するプリント設定画面ＧＮ１１において、プリントボタン１３が押下された場合には、コマ番号(ｎ)の画像に対するプリント注文の記録処理（ステップＳＴ１５）を行うが、次のコマが存在していないため、コマ番号(ｎ)の画像のプリント設定画面ＧＮ１１に復帰する。
【００９６】
具体的には、例えば、図７のプリント設定画面Ｇｐが表示されている時に、プリントボタン１３が押下された場合は、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００９７】
(９)中央(実行)ボタン７ｅが押下されると、図１０に示すような拡大プリントプレビュー画面Ｇｐｗ(図１３参照)に移行する。拡大プリントプレビュー画面Ｇｐｗでは、表示倍率が１倍の画像Ｇｑが表示されるプリント設定画面Ｇｐ１(図７参照)に対して、表示倍率が例えば２倍の画像Ｇｑｗが表示される一方、合計枚数表示Ｇｐ１や注文枚数表示Ｇｐ２等のプリント情報表示は拡大されずに表示される。この拡大プリントプレビュー画面Ｇｐｗをユーザーが視認することによって、画像の詳細な確認が行えることとなる。
【００９８】
(１０)モード切替ボタン１１が押下されると、図１０に示すようにプリント設定画面から抜けて、例えばＲＡＭ５０ａに記憶されている遷移元モードの情報に基づき、プリント設定画面に移行する前の画面(例えば撮影モードのメニュー画面等)に遷移する。
【００９９】
(１１)シャッターボタン９が押下されると、図１０に示すように１コマ撮影モードに移行してライブビュー表示を行う。
【０１００】
以上で説明した図１１のステップＳＴ１２、ＳＴ１３およびＳＴ１５に関する注文記録動作を以下で説明する。
【０１０１】
＜プリント注文の記録処理の動作＞
図１４は、コマ番号(ｎ)の画像に対するプリント注文の記録処理の動作を示すフローチャートである。
【０１０２】
まず、プリントボタン１３等が押下されると、メモリカード９０にプリント注文ファイルが存在するか否かを判定する（ステップＳＰ１）。ここで、プリント注文ファイルが存在する場合には、ステップＳＰ２に進み、存在しない場合にはステップＳＰ４に進む。
【０１０３】
ステップＳＰ２では、注文内容が変更されたか否かを判定する。例えば上ボタン７ａまたは下ボタン７ｂが押下されることにより、プリント枚数が増加または減少したかを判断する。ここで、注文内容が変更された場合には、ステップＳＰ３に進み、変更されていない場合には、本フローチャートを抜けてプリント注文の記録処理を終了する。
【０１０４】
ステップＳＰ３では、コマ番号ｎを有するプリント注文の対象画像に対する注文内容が変更された内容となるように、プリント注文ファイルの更新を行い、ステップＳＰ６に進む。
【０１０５】
ステップＳＰ４では、プリント注文ファイルを新規に作成する。これにより、その後、プリントボタン１３が押下されてプリントモードに移行した場合には、メモリカード９０内に確実にプリント注文ファイルが存在していることとなる。
【０１０６】
ステップＳＰ５では、コマ番号ｎを有するプリント注文の対象画像に対する注文内容をプリント注文ファイルに記録する。
【０１０７】
ステップＳＰ６では、プリント合計枚数を更新する。これにより、プリント設定画面における合計枚数表示Ｇｐ１の表示が変更される。
【０１０８】
以上のデジタルカメラ１では、左ボタン７ｃや右ボタン７ｄを押下することによって、所望の各画像について少なくとも１枚のプリント注文を行えるため、注文漏れを抑制できてユーザーの利便性が向上することとなる。
【０１０９】
＜プリントメニュー画面における動作＞
プリント設定画面においてメニューボタン８ａが押下されると、図１５に示すプリントメニュー画面Ｇｐｍに遷移するが、このプリントメニュー画面Ｇｐｍについて以下で説明する。
【０１１０】
図１６は、プリントメニュー画面Ｇｐｍで表示される各項目を説明するための図である。以下では、図１６に記載される各項目(１)〜(７)毎に、プリントメニュー画面Ｇｐｍの機能を説明する。
【０１１１】
(１)プリント初期設定が指定されると、ボタン群７を用いてプリント指定に関してデフォルトのプリント枚数またはデフォルトのプリントサイズが選択できる。すなわち、デジタルカメラ１では、デフォルトのプリント設定条件が変更可能となっている。
【０１１２】
(２)日付写し込み位置が指定されると、日付表示Ｇｐ５(図７)に対応するプリント画像への日付写し込み位置について、画像(画面)の「左下」、画像の「右下」、または日付写し込みが「なし」（禁止）を選択できる。
【０１１３】
(３)日付写し込み形式が指定されると、「YY/M/D」、「YYYY/M/D」または「和暦Y/M/D」の形式が選択できる。ただし、日付写し込み位置が「なし」に設定されている場合には、この日付写し込み形式の指定が行えない。
【０１１４】
(４)プリント合計枚数が指定されると、「料金を表示」、「枚数を表示」、「サイズ毎の枚数と合計枚数とを表示」または「表示しない」を選択できる。ここで、「料金を表示」が設定されると、図１７(ａ)に示すようにＬＣＤ５の左上に料金表示Ｇｐ１１のみが示され、「枚数を表示」が設定されると、図１７(ｂ)に示すようにＬＣＤ５の左上に合計枚数表示Ｇｐ１２のみが示される。また、「サイズ毎の枚数と合計枚数とを表示」が設定されると、図１７(ｃ)に示すようにＬＣＤ５の左上に合計枚数とＬサイズおよび２Ｌサイズそれぞれの枚数に関する表示Ｇｐ１３が示され、「表示しない」が設定されると、図１７(ｄ)に示すようにＬＣＤ５の左上に合計枚数に関する表示を行わない。なお、料金を表示する場合には、例えば、メモリカード９０内のプリント単価テーブルＴＢに基づき料金が算出される。
【０１１５】
(５)インデックスプリントが指定されると、インデックスプリントを「する」または「しない」を選択できる。
【０１１６】
(６)プリント設定のオールリセットが指定されると、「実行する」または「中止」が選択できる。ここで、「実行」が選択された場合には、全てのプリント枚数の設定がプリント初期設定で設定されたデフォルト値に戻ることとなる。
【０１１７】
(７)削除画像の復活が指定されると、「実行する」または「中止」が選択できる。ここで、「実行」が選択された場合でも、メモリカードの容量を有効に活用するため、復活できる画像は直前に削除した画像のみとなっている。
【０１１８】
＜デジタルカメラ１全般の動作について＞
以上ではプリントモードに関する動作を説明したが、このプリントモードと他のモード（撮影モードや再生モード）との関係等デジタルカメラ１全般の動作について、以下で説明する。
【０１１９】
＜基本的な状態遷移＞
図１８は、デジタルカメラ１の基本的な動作を示す状態遷移図である。
【０１２０】
まず、デジタルカメラ１の電源がオフの状態から電源ボタン３が押下されるとＲＯＭ５０ｂに記憶されている起動時のモードを判別する状態ＳＴ３１に遷移する。なお、デジタルカメラ１の出荷時には、起動時に１コマ撮影モードへ遷移するように設定されている。
【０１２１】
そして、状態ＳＴ３１で判別されたモードに設定される状態ＳＴ３２に移行する。ここで、デジタルカメラ１のモードとしては、上述したプリントモード、撮影モード（１コマ撮影モード、動画モード、連写モード）および再生モードがあるが、モード切替ボタン１１またはプリントボタン１３の押下によって、これら５種類のモードの切り替えを実施することができる。この状態ＳＴ３２においてメニューボタン８ａが押下された場合には、各モードに応じた各種のメニュー設定ができる画面をＬＣＤ５に表示する状態ＳＴ３３に移行する。
【０１２２】
一方、状態ＳＴ３２において、電源ボタン３が押下されると、現在設定されているモードをＲＯＭ５０ｂに記憶する状態ＳＴ３４を経由して、デジタルカメラ１の電源がオフされる。
【０１２３】
次に、上述した５種類のモードのうちプリントモードと、他の４種類のモードとの関係を、状態遷移を表す図１９を参照して説明する。
【０１２４】
１コマ撮影モード、連写モード、動画モードおよび再生モードに設定された状態ＧＮ８１〜８４においては、モード切替ボタン１１の押下によってサイクリックにモード切替が行えるようになっている。なお、動画モードに設定された状態ＧＮ８３から再生モードに設定された状態ＧＮ８４に移行する場合には、コマ番号の最も大きな撮影画像がＬＣＤ５に表示される。
【０１２５】
１コマ撮影モード、連写モードおよび動画モードに設定された状態ＧＮ８１〜８３において、プリントボタン１３が押下されると、後で詳述するエラーチェックＳＴ４１を経て、プリントモードに設定された状態ＧＮ８５に遷移する。ここで、状態ＧＮ８５に遷移した直後には、コマ番号の最も大きな撮影画像がＬＣＤ５に表示される。
【０１２６】
また、再生モードに設定された状態ＧＮ８４において、プリントボタン１３が押下されると、プリントモードに設定された状態ＧＮ８５に遷移する。ここで、状態ＧＮ８５に遷移した直後には、状態ＧＮ８４でＬＣＤ５に表示されていた再生画像と同一画像が表示される。また、この状態ＧＮ８４において、シャッターボタン９が押下されると、１コマ撮影モードに設定された状態ＧＮ８１に移行する。
【０１２７】
プリントモードが設定される状態ＧＮ８５において、プリントボタン１３が押下されても、上述したようにプリント注文内容が更新される等の処理が行われてプリントモードの設定が維持される。一方、状態ＧＮ８５において、シャッターボタン９が押下された場合には、１コマ撮影モードに設定された状態ＧＮ８１に移行することとなる。
【０１２８】
＜エラーチェック動作＞
図２０は、上記の状態ＳＴ４１に対応するエラーチェックの動作を示すフローチャートである。
【０１２９】
まず、メモリカード９０に撮影画像が保存されているか否かを判定する（ステップＳＴ５１）。ここで、撮影画像が保存されている場合には、ステップＳＴ５２に進み、保存されていない場合には、ステップＳＴ５３に進む。
【０１３０】
ステップＳＴ５２では、コマ番号の最も大きな撮影画像を指定して画像ファイル（データ）を読み出す。そして、読出しが完了すると、プリントモードに設定された状態ＧＮ８５（図１９）に遷移する。なお、ステップＳＴ５２でプリントボタン１３が押下されても、プリントボタン１３の押下を無視してファイル読み出しを続ける。これによって、モードを切り替えたいというユーザの意図を優先させることができる。
【０１３１】
ステップＳＴ５３では、エラーチェック状態ＳＴ４５に遷移する前の遷移元のモード（１コマ撮影モード、連写モードまたは動画モード）を記憶し、ステップＳ５４に進む。
【０１３２】
ステップＳＴ５４では、「メモリカードに画像がありません」という警告表示をＬＣＤ５で行う。そして、２秒が経過するか、実行(中央)ボタン７ｅ、プリントボタン１３またはモード切替ボタン１１が押下されるかでステップＳＴ５３で記憶した遷移元のモードに復帰する。
【０１３３】
以上のエラーチェックの動作により、メモリカード９０内に撮影画像がない場合にプリントモードに移行するのを防止できる。
【０１３４】
＜再生モードからプリントモードへの遷移＞
次に、再生モードにおけるデジタルカメラ１の各状態において、プリントボタン１３が押下された場合の処理を、図２１に記載される各項目(１)〜(６)毎に説明する。
【０１３５】
(１)再生メニューを表示中において、プリントボタン１３が押下されると、直ちにプリント設定画面Ｇｐ(図７)に移行する。
【０１３６】
(２)スライドショーの途中において、プリントボタン１３が押下されると、スライドショーを中断してプリント設定画面Ｇｐに移行する。
【０１３７】
(３)動作再生の途中において、プリントボタン１３が押下されると、動画再生を中断し、現在再生している動画の次のコマ(静止画)を表示するプリント設定画面Ｇｐに移行する。これは、動画はプリントの指定を行えないためである。なお、次の静止画が存在しない場合には、動画の前のコマ(静止画)を表示するようにする。
【０１３８】
(４)コマ送りや拡大表示、画像処理等によるファイルアクセス(読み出し)の途中において、プリントボタン１３が押下されると、ファイルアクセスを中断して、プリント設定画面Ｇｐに移行する。なお、モードの遷移が途中の場合には、ファイルアクセス（データ読み出し）を優先し、モードの遷移完了によるファイルアクセス完了後にプリント設定画面Ｇｐに移行する。
【０１３９】
(５)画像処理やコピー、削除、プロテクトの設定、プリント注文ファイルの更新等によるファイルアクセス(書き込み)の途中において、プリントボタン１３が押下されても無視する。
【０１４０】
(６)アフレコ(After Recording)の途中において、プリントボタン１３が押下されると、アフレコを中断して、中断前までの音声記録が完了した後に、アフレコの対象となっているコマのプリント設定画面Ｇｐに移行する。
【０１４１】
＜再生モードにおけるデジタルカメラ１の動作＞
図２２および図２３は、再生モードにおけるデジタルカメラ１の動作を説明するための図である。これらの図において、参照符号がＧＮで始まるブロックはデジタルカメラの状態を示しており、参照符号がＳＴで始まるブロックは、デジタルカメラ１の処理を示している。
【０１４２】
図２２に示すように動画モードが設定される状態ＧＮ６１においてモード切替ボタン１１が押下されると、メモリカード９０に撮影画像が保存されているかを判定する処理ＳＴ６１を行う。この処理ＳＴ６１で、撮影画像が保存されていると判定される場合には、コマ番号が一番大きな画像を指定して画像ファイルを読み出す処理ＳＴ６３を行い、読み出しが完了すると、このコマ番号の画像を表示する再生モードに設定された状態ＧＮ３３に遷移する。なお、処理ＳＴ６３が行われている最中にプリントボタン１３が押下される場合でも無視して読み出し処理を継続する。
【０１４３】
一方、処理ＳＴ６１において撮影画像が保存されていないと判定される場合には、「メモリカードに画像がありません」という警告表示する状態ＧＮ６２に移行し、２秒後に動画モードに設定された状態ＧＮ６１に遷移する。なお、この状態ＧＮ６２において、プリントボタン１３が押下されても無視することとする。
【０１４４】
再生モードに設定された状態ＧＮ３３において、左ボタン７ｃ（または右ボタン７ｄ）が押下されると、前（または後）のコマ番号の画像を指定して画像ファイルを読み出す処理ＳＴ６４を行い、処理ＳＴ６４が完了すると、読み出された画像ファイルを表示する再生モードに設定された状態ＧＮ３３に遷移する。この処理ＳＴ６４の途中において、プリントボタン１３が押下されると、画像ファイルの読み出しを中断して読み出し処理直前の画像を表示するプリントモードに設定された状態ＧＮ３７に遷移する。
【０１４５】
再生モードに設定された状態ＧＮ３３において、モード切替ボタン１１が押下される場合には、１コマ撮影モードに設定された状態ＧＮ３５に遷移する。また、状態ＧＮ３３において、サムネイルの形態で画像が表示されている場合に動画のコマを指定して実行（中央）ボタン７ｅを押下すると、指定されたコマの動画再生を行う状態ＧＮ３６に移行する。この状態ＧＮ３６においてプリントボタン１３が押下されると、次のコマ番号の静止画を表示するプリントモードが設定される状態ＧＮ３９に遷移する。
【０１４６】
再生モードに設定された状態ＧＮ３３において、メニューボタン８ａが押下されると、図２３に示す再生モードのメニュー画面が表示される状態ＧＮ３４に遷移する。ここで、メニューボタン８ａが押下される場合には、図２２に示す再生モードに設定された状態ＧＮ３３に復帰する。
【０１４７】
図２３に示すように再生メニューの表示状態ＧＮ３４において、メニュー項目である「プロテクト」を選択して実行(中央)ボタン７ｅが押下された場合には、プロテクトの設定処理ＳＴ６５を行い、プロテクト設定が完了した場合には、再生メニューの表示状態ＧＮ３４に復帰する。このプロテクト設定処理ＳＴ６５の最中においてプリントボタン１３が押下された場合でも無視してプロテクト設定を継続する。
【０１４８】
また、再生メニューの表示状態ＧＮ３４において、メニュー項目である「アフレコ」を選択して実行(中央)ボタン７ｅが押下された場合には、再生画像と音声記録のプログレスバーとを表示する状態ＧＮ４０に遷移する。この状態ＧＮ４０において、アフレコが終了すると、アフレコ音声ファイルをメモリカード９０内に作成して、画像ファイルと関連付けする処理ＳＴ６６を行う。そして、アフレコ音声ファイルの作成が完了すると、再生メニューを表示する状態ＧＮ３４に移行する。一方、状態ＧＮ４０において、プリントボタン１３が押下される場合には、アフレコを中断し、中断までの音声ファイルを作成して再生画像の画像ファイルと関連付けする処理ＳＴ６８を行って、この再生画像を表示するプリントモードに設定された状態ＧＮ３７(図２２)に移行する。
【０１４９】
また、図２３に示す再生メニューの表示状態ＧＮ３４において、メニュー項目である「フォーマット」を選択して実行(中央)ボタン７ｅが押下された場合には、フォーマットを実行する処理ＳＴ６７を行い、フォーマットが完了した場合には、再生メニューの表示状態ＧＮ３４に復帰する。このフォーマット処理ＳＴ６７の最中においてプリントボタン１３が押下された場合でもこれを無視してフォーマット処理を継続する。
【０１５０】
また、再生メニューの表示状態ＧＮ３４において、メニュー項目である「スライドショー」を選択して実行ボタン７ｅが押下された場合には、スライドショーを実行する状態ＧＮ３８に移行する。この状態ＧＮ３８においてスライドショーが終了した場合、およびメニューボタン８ａが押下された場合には、再生メニューの表示状態ＧＮ３４に復帰する。また、状態ＧＮ３８において、プリントボタン１３が押下された場合には、プリント設定画面を表示するプリントモードに設定された状態ＧＮ３７(図２２)に遷移する。
【０１５１】
また、図２３に示す再生メニューの表示状態ＧＮ３４において、プリントボタン１３が押下された場合には、プリント設定画面を表示するプリントモードに設定された状態ＧＮ３７(図２２)に移行する。
【０１５２】
＜撮影モード等におけるデジタルカメラ１の動作＞
以上では主に再生モードとプリントモードとの関係を説明したが、以下では、主に、再生モード以外の撮影モード、具体的には１コマ撮影モード、連写モード、および動画モード等の設定状態において、プリントボタン１３が押下された場合の処理を、図２４に記載される各項目(１)〜(８)毎に説明する。
【０１５３】
(１)ライブビュー表示中において、プリントボタン１３が押下されると、直ちにプリント設定画面Ｇｐ(図７)に移行する。ただし、ライブビューでＡＥ評価値が取得される場合には、これを破棄する。
【０１５４】
(２)シャッターボタン９が半押し（Ｓ１状態）されてＡＦの最中において、プリントボタン１３が押下されると、撮影レンズ（ＡＦレンズ）の駆動を中断して、直ちにプリント設定画面Ｇｐに移行する。
【０１５５】
(３)シャッターボタン９が半押し（Ｓ１状態）されてＡＦが完了した後において、プリントボタン１３が押下されると、取得したＡＦ評価値を破棄して、直ちにプリント設定画面Ｇｐに移行する。
【０１５６】
(４)シャッターボタン９が全押し（Ｓ２状態）された後に、撮影画像の記録途中または連写の谷間において、プリントボタン１３が押下されると、ファイルアクセス（書き込み）が完了する前にプリント設定画面Ｇｐに移行する。このプリント設定画面では、ＲＡＭ５０ａに格納される撮影画像を表示するとともに、撮影画像のメモリカード９０への記録はバックグラウンドで並列して行う。
【０１５７】
(５)シャッターボタン９が全押し（Ｓ２状態）された後であって、撮影直後に、撮影結果を視認するための画像（アフタービュー）がＬＣＤ５に表示されている状態（「記録」／「削除」の選択肢も表示されている状態）において、プリントボタン１３が押下されると、アフタービューが表示されている撮影画像の記録を開始するとともに、プリント設定画面Ｇｐに移行する。つまり、デジタルカメラ１では、撮影直後において、撮影画像に係るアフタービューの表示中に、ユーザーによってアフタービューに対応する撮影画像に対するプリント設定を行うためのプリントボタン１３の押下操作（プリント設定操作とも称する）が受け付け可能となっている。また、このとき、プリント設定画面Ｇｐが表示されると、種々のプリント設定操作を受け付けるプリントモードのバックグラウンドで、撮影画像を記録する処理が並行して行われる。なお、アフタービュー表示中において、プリントボタン１３が押下されると、アフタービュー表示されている撮影画像を記録し、その記録が完了した後にプリント設定画面に移行するようにすることもできる。
【０１５８】
(６)セルフタイマー動作中において、プリントボタン１３が押下されると、セルフタイマーをキャンセルして、プリントモードに移行する。
【０１５９】
(７)撮影モードのメニュー画面（以下では「撮影メニュー」ともいう）の表示中において、プリントボタン１３が押下されると、直ちにプリント設定画面Ｇｐに移行する。
【０１６０】
(８)動画モードで動画撮影中において、プリントボタン１３が押下されると、動画撮影を終了させて、プリント設定画面Ｇｐに移行する。このプリント設定画面では、動画を表示せず、前のコマの静止画を表示する。
【０１６１】
＜１コマ撮影モードにおけるデジタルカメラ１の動作＞
図２５および図２６は、１コマ撮影モードにおけるデジタルカメラ１の動作を説明するための図である。本図において、参照符号がＧＮで始まるブロックはデジタルカメラの状態を示しており、参照符号がＳＴで始まるブロックは、デジタルカメラ１の処理を示している。
【０１６２】
１コマ撮影モードにおいては、撮影終了直後に、ＲＡＭ５０ａに一時的に記憶される撮影画像（一時記憶画像とも称する）に係るサムネイル画像を撮影結果（アフタービュー）としてＬＣＤ５に表示することで、ユーザーが撮影結果を視認して、撮影画像をメモリカード９０へ記録するか否かを選択することができる機能（アフタービュー機能）を実現する。
【０１６３】
また、撮影画像をメモリカード９０に記録している際中にプリントモードに移行することが可能となっており、その場合には、再生モード等から単にプリントモードに移行する場合と若干動作が異なる。この異なる動作については以下において１コマ撮影モードにおけるデジタルカメラ１の動作全般について説明する際に、図２６を参照して説明する。
【０１６４】
以下、まず、アフタービュー機能について説明し、その後、１コマ撮影モードにおけるデジタルカメラ１の動作全般について説明する。
【０１６５】
＜アフタービュー機能＞
図２７は、アフタービュー表示を説明するための図である。アフタービューを表示している状態（アフタービュー表示状態）では、ＬＣＤ５にサムネイル画像データＳＤ(図４)に関する表示用のサムネイル画像（アフタービュー）Ａｖを含む画面（アフタービュー画面）Ａｐが表示される。また、アフタービュー表示状態では、フラッシュモードボタン８ｃおよび液晶モニターボタン８ｂが記録ボタンおよび削除ボタンとして機能する。
【０１６６】
つまり、アフタービューの表示中に、フラッシュモードボタン（記録ボタン）８ｃおよび液晶モニターボタン（削除ボタン）８ｂが、ＲＡＭ５０ａに一時的に記憶される撮影画像をメモリカード９０へ記録するか否かを選択するユーザーの操作（記録選択操作とも称する）を受け付ける。
【０１６７】
換言すれば、アフタービュー表示中に、記録ボタン８ｃによって撮影画像の記録を選択する押下操作（記録操作）が受け付けられれば、メモリカード９０にアフタービューに係る撮影画像が記録され、逆に、削除ボタン８ｂによって撮影画像の削除を選択する押下操作（削除操作）が受け付けられれば、ＲＡＭ５０ａに一時的に記憶される撮影画像が削除される。
【０１６８】
また、全体制御部５０の制御下で、アフタービューの表示中では、記録ボタン８ｃおよび削除ボタン８ｂが記録選択操作を受け付けるか、又は、プリント設定操作（ここでは、プリントボタン１３の押下操作）が受け付けられる前までは、アフタービューに係る撮影画像がメモリカード９０に記録されない。すなわち、記録ボタン８ｃの押下操作以外にプリントボタン１３の押下操作（プリント設定操作）に応答してメモリカード９０にアフタービューに係る撮影画像を記録するための処理（記録処理）を開始するのである。つまり、ここでは、アフタービューに係る撮影画像に対して、プリント設定を行うことをユーザーが望んでいるのであれば、当然、その撮影画像をメモリカード９０に記録することをユーザーが望んでいるものと一義的に導き出すことができるという考え方を採用しているのである。
【０１６９】
よって、ここでは、アフタービュー機能において撮影画像の記録を選択する操作とプリント設定のための操作とを関連付けることにより、アフタービュー表示中に、ユーザーがプリントボタン１３を１回押下操作することで、撮影画像のメモリカード９０への記録処理と、プリント設定を行うためのプリント設定画面に遷移させる処理との双方を同時に選択することができる。その結果、アフタービュー機能とプリント設定との関係において、操作回数を低減させることができため、操作性を向上させることができる。
【０１７０】
なお、ここで言う撮影画像の「記録処理」には、メモリカード９０に撮影画像データをファイル形式で記録する処理が含まれるが、例えば、メモリカード９０に撮影画像データを記録するために、ＲＡＭ５０ａに一時的に記憶される撮影画像データに対して行われる圧縮処理等の各種画像処理等を含むようにしても良い。また、ここでは、「プリント設定操作」は、プリントボタン１３の押下操作であったが、これに限られるものではなく、アフタービューに係る撮影画像に対してプリント設定を行うことをユーザーが望んでいると推定することができる操作であれば他の操作であっても良い。
【０１７１】
また、図２７に示すように、アフタービュー画面においては、記録ボタン８ｃおよび削除ボタン８ｂの押下操作による撮影画像の記録および削除の機能が発揮されることを示す「記録」表示Ｇｐ５および「削除」表示Ｇｐ６が表示される。なお、以下では、アフタービュー表示状態における「記録」とはアフタービューに対応する撮影画像のメモリカード９０への記録を、「削除」とはアフタービューに対応する撮影画像の削除を示す。
【０１７２】
＜１コマ撮影モードにおけるデジタルカメラ１の動作全般＞
次に、１コマ撮影モードにおけるデジタルカメラ１の動作全般について説明する。
【０１７３】
１コマ撮影モードに設定され、ライブビュー表示が行われている状態ＧＮ４１において、シャッターボタン９が半押しされる場合には、ＡＦ・ＡＥ・ＡＷＢの各処理ＳＴ７１を行い、この処理が完了するとＡＦ・ＡＥ・ＡＷＢ評価値が取得された状態ＧＮ４２に移行する。そして、１コマ撮影モードに設定された状態ＧＮ４１またはＡＦ・ＡＥ・ＡＷＢの処理ＳＴ７１中において、プリントボタン１３が押下されると、図２０に示すエラーチェックの動作と同様の処理ＳＴ７４を行って、プリントモードに移行する。
【０１７４】
なお、１コマ撮影モードに設定された状態ＧＮ４１において、メニューボタン８ａが押下されると、１コマ撮影モードにおける各種撮影条件の設定等が可能な撮影メニューが表示される状態に遷移する。
【０１７５】
ＡＦ・ＡＥ・ＡＷＢ評価値の取得状態ＧＮ４２において、プリントボタン１３が押下されると、ＡＦ・ＡＥ・ＡＷＢ評価値を破棄する処理ＳＴ７２を行った後にエラーチェックの処理ＳＴ７４を行い、プリントモードに移行する。
【０１７６】
一方、状態ＧＮ４２において、シャッターボタン９が全押しされると、セルフタイマーが設定されているか否かを判定する処理ＳＴ７３を行う。ここで、セルフタイマーが設定されている場合には、セルフタイマーカウント中の状態ＧＮ４３に移行する。一方、セルフタイマーが設定されていない場合には、露光し、撮影画像データをＲＡＭ５０ａに格納して画像処理を行う状態ＧＮ４４に移行する。
【０１７７】
セルフタイマーカウント中の状態ＧＮ４３において、プリントボタン１３が押下されると、エラーチェックの処理ＳＴ７４を行い、プリントモードに移行する。一方、状態ＧＮ４３において、カウントアップすると、露光等を行う状態ＧＮ４４に移行する。
【０１７８】
露光等を行う状態ＧＮ４４において、プリントボタン１３が押下されても無視して、露光等の処理を継続する。また、状態ＧＮ４４において、画像処理が完了すると、アフタービュー表示の実施が設定されているか否かを判定する処理ＳＴ７５に移行する。
【０１７９】
判定処理ＳＴ７５において、アフタービュー表示の実施が設定されていると判定される場合には、サムネイル画像データＳＤ(図４)に関する表示用のサムネイル画像を生成する処理ＳＴ７６を行って撮影画像に関するサムネイル画像をアフタービューとしてＬＣＤ５に表示する状態（アフタービュー表示状態）ＧＮ４５に移行する。一方、判定処理ＳＴ７５において、アフタービュー表示の実施が設定されていないと判定される場合には、メモリカード９０に対して撮影画像を記録する処理（記録処理）ＳＴ７９を行い、記録処理ＳＴ７９が完了すると、１コマ撮影モードに設定された状態ＧＮ４１に移行してライブビュー表示を行う。
【０１８０】
ここで、記録処理ＳＴ７９の最中にプリントボタン１３が押下される場合には、書き込みが完了する前であっても直ちにプリントモードに移行する。このとき、図２６に示すプリントモードに設定された状態ＧＮ４６に遷移する。
【０１８１】
プリントモードに設定された状態ＧＮ４６に遷移した直後には、コマ番号の最も大きな撮影画像（静止画像）を表示するとともに、メモリカード９０に対する撮影画像の記録処理が完了していないため、プリントモードにおける各種設定が可能な状態でありつつ、そのバックグラウンドで撮影画像の記録処理を継続する。つまり、プリントモードにおける各種設定や処理と並行して、撮影画像の記録処理がバックグラウンドで実施される。
【０１８２】
また、アフタービュー表示状態ＧＮ４５において、プリントボタン１３が押下された場合には、メモリカード９０に対する撮影画像の記録処理ＳＴ７７を開始するとともに、図２６に示すプリントモードに設定された状態ＧＮ４６に遷移する。
【０１８３】
つまり、ここでは、全体制御部５０の制御下で、アフタービュー表示中におけるプリントボタン１３の押下操作に応答して、メモリカード９０に対する撮影画像の記録処理を開始し、メモリカード９０に対する撮影画像の記録処理の開始から完了までの間に、ＬＣＤ５による表示画面が、アフタービュー画面からアフタービュー表示に係る撮影画像に対応するプリント設定画面に遷移する。そして、撮影画像の記録処理がプリント設定に係る処理のバックグラウンドで行われる。
【０１８４】
このように、ユーザーによるプリントボタン１３の押下に対して素早くプリント設定画面を表示させつつ、バックグラウンドで撮影画像の記録処理を行うため、プリント設定に係る操作等をいち早く行うことができ、撮影画像の記録処理とプリント設定に要する時間を短縮化することができる。その結果、例えば、次回の撮影等、その次の処理が実行可能となるまでの時間を短縮することができる。したがって、さらに操作性を向上させることができる。
【０１８５】
なお、ここでは、記録処理ＳＴ７７が完了する前に、プリントモードに設定された状態ＧＮ４６に遷移したが、例えば、記録処理ＳＴ７７が完了した後に、プリントモードに設定された状態ＧＮ４６に遷移するようにすることもできる。
【０１８６】
また、アフタービュー表示状態ＧＮ４５において、一定時間（例えば３秒）の間にユーザーの操作がない場合や、撮影画像の記録が選択された場合には、記録処理ＳＴ７９に移行する。
【０１８７】
また、アフタービュー表示状態ＧＮ４５において、画像の削除が選択された場合には、ＲＡＭ５０ａ内の撮影画像データをクリアして１コマ撮影モードの設定画面ＧＮ４１に移行しライブビュー表示を行う。
【０１８８】
プリントモードに設定された状態ＧＮ４６において、他のモード（例えば１コマ撮影モード）からプリントモードへのモード遷移から一定時間（例えば２秒間）の間にユーザーの操作がない場合には、ＬＣＤ５での表示画像に対するプリント注文の記録処理ＳＴ７０１を行い、プリントモードに設定された状態ＧＮ４６に復帰する。なお、プリント注文の記録処理ＳＴ７０１においては、図１４で示したフローと同様な処理が行われる。つまり、ここでは、全体制御部５０の制御下で、ＬＣＤ５による表示画面がプリント設定画面に遷移した時点から所定時間（ここでは、２秒間）経過後に、メモリカード９０へのプリント注文（プリント情報）の記録が開始される。
【０１８９】
なお、ここでは、プリントモードへのモード遷移から一定時間経過後に、メモリカード９０へのプリント情報の記録を開始したが、これに限られるものではなく、例えば、アフタービュー表示中におけるプリントボタン１３の押下操作（プリント設定操作）に応答して、メモリカード９０へのアフタービューに係る撮影画像の記録処理およびプリント情報の記録とを略同時に開始したり、任意のタイミングだけずらして順次記録を開始するようにしても良い。すなわち、全体制御部５０の制御下で、アフタービューの表示中におけるプリント設定操作に応答してメモリカード９０へのアフタービューに係る撮影画像を記録するための処理が開始されるとともに、メモリカード９０へアフタービューに係る撮影画像のプリント情報が記録される処理が開始されるようにしても良い。
【０１９０】
このような構成とすることで、特に、プリント注文に関する情報をメモリカード９０に記録させるための処理を開始するための操作が不要となり、操作回数を更に減少させることができる。また、自動的に、素早くプリント注文に関する情報をメモリカード９０に記録するようにすることもでき、例えば、次の撮影等、次の操作や処理が可能となるまでの時間を短縮化することができる。その結果、一層の操作性の向上を図ることができる。
【０１９１】
また、プリント設定画面に遷移した時点から所定時間経過後にプリント設定に係る情報の記録を開始するような構成とすることで、プリント設定画面に遷移した後に、ユーザーの気が変わってプリント設定を取りやめたい場合等も想定して、ユーザーにプリント設定の要否を選択するための猶予を与えることができる。その結果、例えば、プリント設定の要否を選択する猶予を与えることなくプリント設定に係る情報の記録を自動的に行ってしまった場合に生じるプリント設定に係る情報の修正等に要する無駄な労力が発生しなくて済む。したがって、更に操作性を向上させることができる。
【０１９２】
また、プリントモードに設定された状態ＧＮ４６においては、図８に示すように、ユーザーが液晶モニターボタン（削除ボタン）８ｂを押下することにより表示画像に対する削除処理を行うことが可能であるとともに、ユーザーがフラッシュモードボタン８ｃ（保留ボタン）を押下することにより表示画像に対するプリント枚数を０枚にすることができる。
【０１９３】
具体的には、プリントモードに設定された状態ＧＮ４６において、ユーザーが削除ボタン８ｂを押下すると、撮影画像をメモリカード９０へ記録している処理（記録処理）の途中か否かを判定する処理ＳＴ７０２を行う。ここで、記録処理中であると判定された場合には、記録処理を中断するとともに、現在表示されている画像（表示画像）に対応するＲＡＭ５０ａ内に格納される撮影画像、およびメモリカード９０内に記録途中の撮影画像を削除する処理ＳＴ７０３を行う。つまり、削除ボタン８ｂが、プリント設定画面の表示中に、プリント設定画面上の表示画像に係る撮影画像の削除を選択する操作（削除選択操作とも称する）を受け付け、全体制御部５０の制御下で、削除選択操作に応答して、撮影画像の記録処理を中止する。このように、撮影画像の削除を選択することによって、バックグラウンドで行われている撮影画像の記録処理を中止するため、直ちに次の処理に移行することができる。なお、処理ＳＴ７０３では、表示画像に対応するプリント注文がメモリカード９０内に既に記録されている場合には、表示画像に対応するプリント注文を削除する。
【０１９４】
一方、処理ＳＴ７０２で、記録処理中であると判定されなかった場合には、表示画像に対応するメモリカード９０内に格納される撮影画像、および表示画像に対応するプリント注文を削除する処理ＳＴ７０４を行う。
【０１９５】
そして、処理ＳＴ７０３，７０４の後、プリント設定画面上に表示される撮影画像を１つコマ番号の小さな撮影画像に対応するものに変更する処理（表示更新処理）ＳＴ７０５を行い、プリントモードに設定された状態ＧＮ４６に戻る。つまり、全体制御部５０の制御下で、プリント設定画面を表示している際に、削除選択操作が行われた後も、ＬＣＤ５が、プリント設定画面を表示している状態を維持する。よって、不要な撮影画像の削除を選択した後も、プリント設定画面の表示を維持するため、プリント設定を実施したいという操作者の意図を的確に反映できる。その結果、より操作性を向上させることができる。
【０１９６】
なお、表示が維持されるプリント設定画面には、削除の対象となった撮影画像よりも１つコマ番号の小さな撮影画像が表示されるが、これに限られるものではなく、例えば、最もコマ番号の小さな撮影画像を表示する等、削除対象となった撮影画像よりもコマ番号の小さな撮影画像を表示するようにしても良い。
【０１９７】
つまり、ここでは、全体制御部５０の制御下で、削除選択操作後も表示が維持されるプリント設定画面が、既にメモリカード９０に記録されている撮影画像に対するプリント設定画面となる。このように、不要な撮影画像の削除を選択した後においても、メモリカード９０内に記録された撮影画像に係るプリント設定画面を表示するため、プリント設定をする対象画像がないという事態、すなわち不具合を防ぐことができる。その結果、より高い操作性を実現することができる。
【０１９８】
また、プリントモードに設定された状態ＧＮ４６において、ユーザーが保留ボタン８ｃを押下すると、プリント注文ファイルＰｆ内に現在表示されている画像（表示画像）に対応するプリント注文が記録されているか否かを判定する処理ＳＴ７１１を行う。ここで、プリント注文が記録されていると判定された場合には、表示画像に対応するプリント注文をプリント注文ファイルＰｆから削除する処理ＳＴ７１３を行い、プリントモードに設定された状態ＧＮ４６に戻る。
【０１９９】
つまり、保留ボタン８ｃが、プリント設定画面の表示中に、プリント設定画面上に表示される撮影画像に対するプリント設定の保留を選択する操作（保留選択操作とも称する）を受け付け、全体制御部５０の制御下で、保留選択操作に応答して、プリント設定画面上に表示される撮影画像に対するプリント情報の記録を実施しない。このように、プリント設定画面表示中において、プリント設定を保留して、プリント設定に係る情報をメモリカード９０に記録しないようにすることができるような構成とすることで、その時点においてプリント（プリントの設定条件やプリントの実行等）の可否の判定が行えない場合にも対応することができる。すなわち、操作性の更なる向上を図ることができる。
【０２００】
一方、プリント注文が記録されていると判定されなかった場合には、プリント注文の記録中であるか否か判定する処理ＳＴ７１２を行う。そして、処理ＳＴ７１２で、プリント注文の記録中であると判定された場合には、処理ＳＴ７１３を行い、プリントモードに設定された状態ＧＮ４６に戻る。また、プリント注文の記録中であると判定されなかった場合には、削除する対象となるプリント注文がないため、プリントモードに設定された状態ＧＮ４６に戻る。
【０２０１】
＜連写モードにおけるデジタルカメラ１の動作＞
図２８は、連写モードにおけるデジタルカメラ１の動作を説明するための図である。本図において、参照符号がＧＮで始まるブロックはデジタルカメラの状態を示しており、参照符号がＳＴで始まるブロックは、デジタルカメラ１の処理を示している。
【０２０２】
連写モードに設定され、ライブビュー表示が行われている状態ＧＮ５１において、シャッターボタン９が半押しされる場合には、ＡＦ・ＡＥ・ＡＷＢの各処理ＳＴ８１を行い、この処理が完了するとＡＦ・ＡＥ・ＡＷＢ評価値が取得された状態ＧＮ５２に移行する。そして、連写モードに設定された状態ＧＮ５１またはＡＦ・ＡＥ・ＡＷＢの処理ＳＴ８１中において、プリントボタン１３が押下されると、図２０に示すエラーチェックの動作と同様の処理ＳＴ８３を行って、プリントモードに移行する。
【０２０３】
ＡＦ・ＡＥ・ＡＷＢ評価値の取得状態ＧＮ５２において、プリントボタン１３が押下されると、ＡＦ・ＡＥ・ＡＷＢ評価値を破棄する処理ＳＴ８２を行った後にエラーチェックの処理ＳＴ８３を行う。一方、状態ＧＮ５２において、シャッターボタン９が全押しされると、露光し、撮影画像データをＲＡＭ５０ａに格納して画像処理を行う状態ＧＮ５３に移行する。なお、状態ＧＮ５３に移行すると、ＲＡＭ５０ａ内に格納される撮影画像データに対して画像処理を行ってメモリカード９０に記録する処理が開始される。
【０２０４】
露光等を行う状態ＧＮ５３において、プリントボタン１３が押下されても無視して、露光等の処理を継続する。また、状態ＧＮ５３において、画像処理が完了すると、ＲＡＭ５０ａに空き容量があるかを判定する処理ＳＴ８４に移行する。さらに、状態ＧＮ５３において、シャッターボタン９の押下状態が解除された場合（シャッターボタン９がオフされた場合）には、メモリカード９０に対する撮影画像の記録処理ＳＴ８５を行い、記録処理ＳＴ８５が完了すると、状態ＧＮ５１に移行してライブビュー表示を行う。
【０２０５】
判定処理ＳＴ８４において、ＲＡＭ５０ａに空き容量がないと判定される場合には、画像処理および撮影画像の記録処理を継続する状態ＧＮ５４に移行する。一方、ＲＡＭ５０ａに空き容量があると判定される場合には、露光等を行う状態ＳＴ５３に遷移する。なお、状態ＧＮ５３および判定処理ＳＴ８４が行われている状態では、順次、ＲＡＭ５０ａ内に格納される撮影画像データに対して画像処理等を行ってメモリカード９０に記録する処理が行われる。つまり、撮影によって順次取得される撮影画像が順次メモリーカード９０に記録されるパイプライン処理が行われる。
【０２０６】
処理継続の状態ＧＮ５４において、シャッターボタン９が全押しされると、空き容量をチェックする判定処理ＳＴ８４に移行する。一方、シャッターボタン９がオフされた場合には、メモリカード９０に対する撮影画像の記録処理ＳＴ８５に移行する。
【０２０７】
処理継続の状態ＧＮ５４、または記録処理ＳＴ８５の最中においてプリントボタン１３が押下された場合には、図２６に示すプリントモードに設定された状態ＧＮ４６に遷移する。プリントモードに設定された状態ＧＮ４６およびそれ以降の状態や処理については上述したため、ここでは説明を省略する。
【０２０８】
＜動画モードにおけるデジタルカメラ１の動作＞
図２９は、動画モードにおけるデジタルカメラ１の動作を説明するための図である。本図において、参照符号がＧＮで始まるブロックはデジタルカメラの状態を示しており、参照符号がＳＴで始まるブロックは、デジタルカメラ１の処理を示している。
【０２０９】
動画モードに設定され、ライブビュー表示が行われている状態ＧＮ６１において、シャッターボタン９が半押しされる場合には、ＡＦ・ＡＥ・ＡＷＢの各処理ＳＴ９１を行い、この処理が完了するとＡＦ・ＡＥ・ＡＷＢ評価値が取得された状態ＧＮ６２に移行する。そして、動画モードに設定された状態ＧＮ６１またはＡＦ・ＡＥ・ＡＷＢの処理ＳＴ９１中において、プリントボタン１３が押下されると、図２０に示すエラーチェックの動作と同様の処理ＳＴ９３を行って、プリントモードに移行する。
【０２１０】
ＡＦ・ＡＥ・ＡＷＢ評価値の取得状態ＧＮ６２において、プリントボタン１３が押下されると、ＡＦ・ＡＥ・ＡＷＢ評価値を破棄する処理ＳＴ９２を行った後にエラーチェックの処理ＳＴ９３を行う。一方、状態ＧＮ６２において、シャッターボタン９が全押しされると、動画像を撮影すべく、露光し、撮影画像データをＲＡＭ５０ａに格納して画像処理を行う状態ＧＮ６３に移行する。
【０２１１】
露光等を行う状態ＧＮ６３において、プリントボタン１３が押下されると、露光等の処理を直ちに中止して、エラーチェックの処理ＳＴ９３を行う。また、状態ＧＮ６３において、画像処理が完了すると、１フレーム分の画像データをメモリカード９０に記録する処理（記録処理）を行う状態ＧＮ６４に遷移する。
【０２１２】
上記の状態ＧＮ６４において、動画を構成するフレーム毎の記録処理を繰り返すことによって動画データが生成されることになる。
【０２１３】
また、状態ＧＮ６３において、シャッターボタン９が再度全押しされると、１フレーム分の画像データをメモリカード９０に記録する処理（記録処理）を行う状態ＧＮ６５に遷移し、その後、動画撮影された画像データにヘッダ情報等を付加して動画撮影ファイルとして記録を行う処理（記録終了処理）ＳＴ９７に移行する。
【０２１４】
状態ＧＮ６４中において、プリントボタン１３が押下されると、図２６に示すプリントモードに設定された状態ＧＮ４６に遷移する。プリントモードに設定された状態ＧＮ４６およびそれ以降の状態や処理については上述したため、ここでは説明を省略する。また、状態ＧＮ６４における記録処理が完了すると、メモリカード９０に空き容量がないか否か判定する処理ＳＴ９６を行う。処理ＳＴ９６においてメモリカード９０に空き容量がないと判定される場合には、記録終了処理ＳＴ９７に移行する。一方、メモリカード９０に空き容量があると判定される場合には、動画撮影を継続するために、露光等を行う状態ＧＮ６３に戻る。
【０２１５】
記録終了処理ＳＴ９７中において、プリントボタン１３が押下されると、図２６に示すプリントモードに設定された状態ＧＮ４６に遷移する。また、記録終了処理ＳＴ９７が完了すると、動画モードに設定された状態ＧＮ６１に戻る。
【０２１６】
以上のように、本発明の実施形態に係るデジタルカメラ１では、１コマ撮影モードにおいて、撮影によってＲＡＭ５０ａ内に撮影画像が一時的に記憶される。そして、一時的に記憶された撮影画像に係るアフタービューを表示するアフタービュー画面がＬＣＤ５に表示される。アフタービュー表示中では、ＲＡＭ５０ａ内の撮影画像をメモリカード９０へ記録するか否かを選択操作することができるが、ユーザーによるプリントボタン１３の押下操作に応答して撮影画像をメモリカード９０に記録するための処理を開始するとともに、プリント設定画面に遷移する。その結果、複数回の操作を要せず、１回の操作で、撮影画像の記録とプリント設定との双方を選択することができるため、アフタービュー機能とプリント設定との関係において、操作性が良好なデジタルカメラを提供することができる。
【０２１７】
また、アフタービュー表示中におけるプリントボタン１３の押下操作に応答して撮影画像をメモリカード９０に記録する処理を開始するとともに、プリント設定画面に遷移して、撮影画像の記録処理がプリント設定に係る処理のバックグラウンドで実施される。その結果、例えば次回の撮影等、次の処理が実行可能となるまでの時間を短縮することができる。
【０２１８】
また、アフタービューの表示中において、ユーザーによるプリントボタン１３の押下操作に応答してアフタービューに係る撮影画像のメモリカード９０への記録処理を開始するとともに、当該撮影画像についてのプリント情報のメモリカード９０への記録を開始する。その結果、操作回数を更に減少させることができるため、一層の操作性の向上を図ることができる。
【０２１９】
以上、この発明の実施形態について説明したが、本発明は上述した内容のものに限定されるものではなく、種々の変形例が適用可能であることは勿論である。
【０２２０】
◎例えば、上述した実施形態では、アフタービューの表示中に、ユーザーが記録ボタン８ｃまたは削除ボタン８ｂを押下することで、ＲＡＭ５０ａに一時的に記憶される撮影画像をメモリカード９０へ記録するか否かを選択することができたが、これに限られるものではなく、例えば、アフタービューが表示されてから所定の時間（例えば、５秒間）が経過するとアフタービュー表示に係る撮影画像の記録処理を開始するようにしても良い。
【０２２１】
なお、このような構成とした場合にも、上記実施形態と同様に、アフタービュー表示中にユーザーによるプリントボタン１３の押下操作が行われると、その操作に応答してアフタービュー表示に係る撮影画像をメモリカード９０に記録するための処理を開始するとともに、プリント設定画面に遷移するような構成を採用しても良い。このような構成とすることで、アフタービューが表示されてから所定の時間が経過するまで待つことなく、１回の操作で、撮影画像の記録の開始とプリント設定のための処理との双方を実行させることができる。その結果、例えば次回の撮影等、次の処理が実行可能となるまでの時間を短縮することが可能となり、アフタービュー機能とプリント設定との関係において、操作性が良好なデジタルカメラを提供することができる。
【図面の簡単な説明】
【０２２２】
【図１】本発明の実施形態に係るデジタルカメラ１の外観構成を示す斜視図である。
【図２】デジタルカメラ１の外観構成を示す斜視図である。
【図３】デジタルカメラ１の内部機能を示すブロック図である。
【図４】メモリカードのデータ配列を示す図である。
【図５】プリント注文ファイルを説明するための図である。
【図６】プリント注文ファイルに格納される情報を説明するための図である。
【図７】プリント設定画面を説明するための図である。
【図８】プリント設定画面を説明するための図である。
【図９】プリントモードにおける動作を説明するための図である。
【図１０】プリントモードにおける動作を説明するための図である。
【図１１】プリントモードにおける動作を説明するための図である。
【図１２】プリント設定画面を説明するための図である。
【図１３】プリント設定画面を説明するための図である。
【図１４】プリント注文の記録処理の動作を示すフローチャートである。
【図１５】プリントメニュー画面を示す図である。
【図１６】プリントメニュー画面で表示される各項目を説明するための図である。
【図１７】プリント設定画面の表示態様を説明するための図である。
【図１８】デジタルカメラ１の基本的な動作を示す状態遷移図である。
【図１９】プリントモードと他の４種類のモードとの関係を示す状態遷移図である。
【図２０】エラーチェックの動作を示すフローチャートである。
【図２１】再生モードでプリントボタンが押下された際の処理を示す図である。
【図２２】再生モードにおけるデジタルカメラ１の動作を説明するための図である。
【図２３】再生モードにおけるデジタルカメラ１の動作を説明するための図である。
【図２４】再生モード以外のモードに設定された状態においてプリントボタンが押下された場合の処理を説明するための図である。
【図２５】１コマ撮影モードにおけるデジタルカメラ１の動作を説明するための図である。
【図２６】１コマ撮影モードにおけるデジタルカメラ１の動作を説明するための図である。
【図２７】アフタービュー表示を説明するための図である。
【図２８】連写モードにおけるデジタルカメラ１の動作を説明するための図である。
【図２９】動画モードにおけるデジタルカメラ１の動作を説明するための図である。
【符号の説明】
【０２２３】
１  デジタルカメラ
５  ＬＣＤ
８ｂ  液晶モニターボタン（削除ボタン）
８ｃ  フラッシュモードボタン（記録ボタン、保留ボタン）
１３  プリントボタン
５０  全体制御部
５０ａ  ＲＡＭ
９０  メモリカード
【図１】
2005244296.tif 000003
【図２】
2005244296.tif 000004
【図３】
2005244296.tif 000005
【図４】
2005244296.tif 000006
【図５】
2005244296.tif 000007
【図６】
2005244296.tif 000008
【図７】
2005244296.tif 000009
【図８】
2005244296.tif 000010
【図９】
2005244296.tif 000011
【図１０】
2005244296.tif 000012
【図１１】
2005244296.tif 000013
【図１２】
2005244296.tif 000014
【図１３】
2005244296.tif 000015
【図１４】
2005244296.tif 000016
【図１５】
2005244296.tif 000017
【図１６】
2005244296.tif 000018
【図１７】
2005244296.tif 000019
【図１８】
2005244296.tif 000020
【図１９】
2005244296.tif 000021
【図２０】
2005244296.tif 000022
【図２１】
2005244296.tif 000023
【図２２】
2005244296.tif 000024
【図２３】
2005244296.tif 000025
【図２４】
2005244296.tif 000026
【図２５】
2005244296.tif 000027
【図２６】
2005244296.tif 000028
【図２７】
2005244296.tif 000029
【図２８】
2005244296.tif 000030
【図２９】
2005244296.tif 000031